【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
キャリア・アグリゲートされた無線ネットワークにおいて、二次成分キャリア（ＳＣＣ）に関するタイミングを同期させるための方法であって、
ｅノードＢと通信するために利用される前記ＳＣＣに関する同期外状態を判定することと、
前記ｅノードＢまたはその他のｅノードＢと通信するために利用される一次成分キャリアによって、前記同期外状態を示すインジケーションを、前記ｅノードＢへシグナリングすることと、
前記ＳＣＣによる通信のためのタイミングを同期させるために、前記ｅノードＢとのランダム・アクセス手続を実行することと、
を備える方法。
【請求項２】
前記同期外状態が判定された後、前記ｅノードＢからのアップリンク許可を検出することをさらに備え、
前記シグナリングは、タイミングが同期されていない場合に、アップリンク許可が受信されたか否かに基づいて生じる、請求項１に記載の方法。
【請求項３】
前記ＳＣＣによって前記ｅノードＢから物理ダウンリンク制御チャネル（ＰＤＣＣＨ）を受信することをさらに備え、
前記ランダム・アクセス手続は、ＰＤＣＣＨ命令に基づいてトリガされる、請求項１に記載の方法。
【請求項４】
前記シグナリングすることは、前記インジケーションを、前記ｅノードＢへ、媒体アクセス制御（ＭＡＣ）メッセージまたはラジオ・リソース制御（ＲＲＣ）メッセージとしてシグナリングすることを備える、請求項１に記載の方法。
【請求項５】
前記ｅノードＢとのランダム・アクセス手続を実行することは、コンテンション・ベースのランダム・アクセス手続を実行することを備える、請求項１に記載の方法。
【請求項６】
前記同期外状態が判定された後、前記ｅノードＢからのアップリンク許可を検出することをさらに備え、
前記コンテンション・ベースのランダム・アクセス手続を実行することは、タイミングが同期されていない場合に、アップリンク許可が受信されているか否かに基づく、請求項５に記載の方法。
【請求項７】
キャリア・アグリゲートされた無線ネットワークにおいて、二次成分キャリア（ＳＣＣ）に関するタイミングを同期させるための装置であって、
ｅノードＢと通信するために利用される前記ＳＣＣに関する同期外状態を判定する手段と、
前記ｅノードＢまたはその他のｅノードＢと通信するために利用される一次成分キャリアによって、前記同期外状態を示すインジケーションを、前記ｅノードＢへシグナリングする手段と、
前記ＳＣＣによる通信のためのタイミングを同期させるために、前記ｅノードＢとのランダム・アクセス手続を実行する手段と、
を備える装置。
【請求項８】
前記同期外状態が判定された後、前記ｅノードＢからのアップリンク許可を検出する手段をさらに備え、
前記シグナリングする手段は、タイミングが同期されていない場合に、アップリンク許可が受信されているか否かに基づいてシグナリングする、請求項７に記載の装置。
【請求項９】
前記ＳＣＣによって前記ｅノードＢから、物理ダウンリンク制御チャネル（ＰＤＣＣＨ）命令を受信する手段をさらに備え、
前記ランダム・アクセス手続は、ＰＤＣＣＨ命令に基づいてトリガされる、請求項７に記載の装置。
【請求項１０】
前記シグナリングする手段は、前記インジケーションを、前記ｅノードＢへ、媒体アクセス制御（ＭＡＣ）メッセージまたはラジオ・リソース制御（ＲＲＣ）メッセージとしてシグナリングする、請求項７に記載の装置。
【請求項１１】
前記ｅノードＢとのランダム・アクセス手続を実行する手段は、コンテンション・ベースのランダム・アクセス手続を実行する手段を備える、請求項７に記載の装置。
【請求項１２】
前記同期外状態が判定された後、前記ｅノードＢからのアップリンク許可を検出する手段をさらに備え、
前記コンテンション・ベースのランダム・アクセス手続を実行する手段は、タイミングが同期されていない場合に、アップリンク許可が受信されているか否かに基づく、請求項１１に記載の装置。
【請求項１３】
非一時的なコンピュータ読取可能な媒体であって、
少なくとも１つのコンピュータに対して、ｅノードＢと通信するために利用される二次成分キャリア（ＳＣＣ）に関する同期外状態を判定させるためのコードと、
前記ｅノードＢまたはその他のｅノードＢと通信するために利用される一次成分キャリアによって、前記少なくとも１つのコンピュータに対して、前記同期外状態を示すインジケーションを、前記ｅノードＢへシグナリングさせるためのコードと、
前記少なくとも１つのコンピュータに対して、前記ＳＣＣによる通信のためのタイミングを同期させるために、前記ｅノードＢとのランダム・アクセス手続を実行させるためのコードと、を備える非一時的なコンピュータ読取可能な媒体。
【請求項１４】
前記少なくとも１つのコンピュータに対して、前記同期外状態が判定された後、前記ｅノードＢからのアップリンク許可を検出させるためのコードをさらに備え、
前記少なくとも１つのコンピュータに対してシグナリングさせるためのコードは、タイミングが同期されていない場合に、アップリンク許可が受信されているか否かに基づいてシグナリングする、請求項１３に記載の非一時的なコンピュータ読取可能な媒体。
【請求項１５】
前記少なくとも１つのコンピュータに対して、前記ＳＣＣによって前記ｅノードＢから、物理ダウンリンク制御チャネル（ＰＤＣＣＨ）命令を受信させるためのコードをさらに備え、
前記ランダム・アクセス手続は、ＰＤＣＣＨ命令に基づいてトリガされる、請求項１３に記載の非一時的なコンピュータ読取可能な媒体。
【請求項１６】
前記少なくとも１つのコンピュータに対してシグナリングさせるためのコードは、前記インジケーションを、前記ｅノードＢへ、媒体アクセス制御（ＭＡＣ）メッセージまたはラジオ・リソース制御（ＲＲＣ）メッセージとしてシグナリングする、請求項１３に記載の非一時的なコンピュータ読取可能な媒体。
【請求項１７】
前記少なくとも１つのコンピュータに対して前記ｅノードＢとのランダム・アクセス手続を実行させるためのコードは、前記少なくとも１つのコンピュータに対して、コンテンション・ベースのランダム・アクセス手続を実行させるためのコードを備える、請求項１３に記載の非一時的なコンピュータ読取可能な媒体。
【請求項１８】
前記少なくとも１つのコンピュータに対して、前記同期外状態が判定された後、前記ｅノードＢからのアップリンク許可を検出させるためのコードをさらに備え、
前記少なくとも１つのコンピュータに対して実行させるためのコードは、タイミングが同期されていない場合に、アップリンク許可が受信されているか否かに基づく、請求項１７に記載の非一時的なコンピュータ読取可能な媒体。
【請求項１９】
キャリア・アグリゲートされた無線ネットワークにおいて、二次成分キャリア（ＳＣＣ）に関するタイミングを同期させるためのユーザ機器（ＵＥ）であって、
少なくとも１つのプロセッサと、
前記少なくとも１つのプロセッサに接続されたメモリとを備え、
前記少なくとも１つのプロセッサは、
ｅノードＢと通信するために利用される前記ＳＣＣに関する同期外状態を判定し、
前記ｅノードＢまたはその他のｅノードＢと通信するために利用される一次成分キャリアによって、前記同期外状態を示すインジケーションを、前記ｅノードＢへシグナリングし、
前記ＳＣＣによる通信のためのタイミングを同期させるために、前記ｅノードＢとのランダム・アクセス手続を実行するように構成された、ユーザ機器。
【請求項２０】
前記少なくとも１つのプロセッサはさらに、前記同期外状態が判定された後、前記ｅノードＢからのアップリンク許可を検出するように構成され、
前記少なくとも１つのプロセッサは、タイミングが同期されていない場合に、アップリンク許可が受信されているか否かに基づいてシグナリングする、請求項１９に記載のユーザ機器。
【請求項２１】
前記少なくとも１つのプロセッサはさらに、前記ＳＣＣによって前記ｅノードＢから、物理ダウンリンク制御チャネル（ＰＤＣＣＨ）命令を受信するように構成され、
前記ランダム・アクセス手続は、ＰＤＣＣＨ命令に基づいてトリガされる、請求項１９に記載のユーザ機器。
【請求項２２】
前記少なくとも１つのプロセッサは、前記インジケーションを、前記ｅノードＢへ、媒体アクセス制御（ＭＡＣ）メッセージまたはラジオ・リソース制御（ＲＲＣ）メッセージとしてシグナリングする、請求項１９に記載のユーザ機器。
【請求項２３】
前記少なくとも１つのプロセッサは、前記ｅノードＢとのコンテンション・ベースのランダム・アクセス手続を実行するように構成された、請求項１９に記載のユーザ機器。
【請求項２４】
前記少なくとも１つのプロセッサはさらに、前記同期外状態が判定された後、前記ｅノードＢからのアップリンク許可を検出するように構成され、
前記少なくとも１つのプロセッサは、タイミングが同期されていない場合に、アップリンク許可が受信されているか否かに基づいて、前記コンテンション・ベースのランダム・アクセス手続を実行する、請求項２３に記載のユーザ機器。
【請求項２５】
二次成分キャリア（ＳＣＣ）によるランダム・アクセスを容易にする方法であって、
ＵＥから、前記ＳＣＣに関する同期外状態を示すインジケーションを、前記ＵＥとの一次成分キャリアで受信することと、
前記インジケーションに基づいて、前記ＳＣＣによるランダム・アクセスを実行することを促すために、前記ＵＥへ、物理ダウンリンク制御チャネル命令を送信することと、
を備える方法。
【請求項２６】
前記受信することは、前記インジケーションを、媒体アクセス制御（ＭＡＣ）メッセージまたはラジオ・リソース制御（ＲＲＣ）メッセージで前記ＵＥから受信することを備える、請求項２５に記載の方法。
【請求項２７】
前記受信することは、前記ＵＥとの一次成分キャリアを有する、別のｅノードＢとのバックホール・リンクによって、前記インジケーションを受信することを備える、請求項２５に記載の方法。
【請求項２８】
二次成分キャリア（ＳＣＣ）によるランダム・アクセスを容易にする装置であって、
ＵＥから、前記ＳＣＣに関する同期外状態を示すインジケーションを、前記ＵＥとの一次成分キャリアで受信する手段と、
前記インジケーションに基づいて、前記ＳＣＣによるランダム・アクセスを実行することを促すために、前記ＵＥへ、物理ダウンリンク制御チャネル命令を送信する手段と、
を備える装置。
【請求項２９】
前記受信する手段は、前記インジケーションを、媒体アクセス制御（ＭＡＣ）メッセージまたはラジオ・リソース制御（ＲＲＣ）メッセージで前記ＵＥから受信する、請求項２８に記載の装置。
【請求項３０】
前記受信する手段は、前記ＵＥとの一次成分キャリアを有する、別のｅノードＢとのバックホール・リンクによって、前記インジケーションを受信する、請求項２８に記載の装置。
【請求項３１】
非一時的なコンピュータ読取可能な媒体であって、
少なくとも１つのコンピュータに対して、ＵＥから、二次成分キャリア（ＳＣＣ）に関する同期外状態を示すインジケーションを、前記ＵＥとの一次成分キャリアによって受信させるためのコードと、
前記少なくとも１つのコンピュータに対して、前記インジケーションに基づいて、前記ＳＣＣによるランダム・アクセスを実行することを促すために、前記ＵＥへ、物理ダウンリンク制御チャネル命令を送信させるためのコードと、を備える非一時的なコンピュータ読取可能な媒体。
【請求項３２】
前記少なくとも１つのコンピュータに対して受信させるためのコードは、前記インジケーションを、媒体アクセス制御（ＭＡＣ）メッセージまたはラジオ・リソース制御（ＲＲＣ）メッセージで前記ＵＥから受信する、請求項３１に記載の非一時的なコンピュータ読取可能な媒体。
【請求項３３】
前記少なくとも１つのコンピュータに対して受信させるためのコードは、前記ＵＥとの一次成分キャリアを有する、別のｅノードＢとのバックホール・リンクによって、前記インジケーションを受信する、請求項３１に記載の非一時的なコンピュータ読取可能な媒体。
【請求項３４】
二次成分キャリア（ＳＣＣ）によるランダム・アクセスを容易にする装置であって、
少なくとも１つのプロセッサと、
少なくとも１つのプロセッサに接続されたメモリとを備え、
前記少なくとも１つのプロセッサは、
前記ＵＥとの一次成分キャリアによって、ＵＥから、前記ＳＣＣに関する同期外状態を示すインジケーションを受信し、
前記インジケーションに基づいて、前記ＳＣＣによるランダム・アクセスを実行することを促すために、前記ＵＥへ、物理ダウンリンク制御チャネル命令を送信するように構成された、装置。
【請求項３５】
前記少なくとも１つのプロセッサは、前記インジケーションを、媒体アクセス制御（ＭＡＣ）メッセージまたはラジオ・リソース制御（ＲＲＣ）メッセージで前記ＵＥから受信する、請求項３４に記載の装置。
【請求項３６】
前記少なくとも１つのプロセッサは、前記ＵＥとの一次成分キャリアを有する、別のｅノードＢとのバックホール・リンクによって、前記インジケーションを受信する、請求項３４に記載の装置。
【請求項３７】
二次成分キャリア（ＳＣＣ）のためのランダム・アクセス・リソースをＵＥへ提供する方法であって、
所与の期間内、または、連続した時間インスタンスのしきい回数中、通信が、ＵＥに許可されたアップリンク・リソースによって受信されているか否かに部分的に基づいて、前記ＳＣＣに関する、ＵＥの同期外状態を判定することと、
前記同期外状態を判定することに基づいて、前記ＵＥのアップリンク・スケジューリングを中止することと、
前記同期外状態を判定することに基づいて、前記ＵＥからのランダム・アクセスを許可することと、を備える方法。
【請求項３８】
前記同期外状態を判定することはさらに、前記ＵＥからサウンディング基準信号が受信されたか否かに部分的に基づく、請求項３７に記載の方法。
【請求項３９】
前記ランダム・アクセスは、前記ＵＥが、二次セルにおいて同期されていないが、前記二次セルのアップリンク許可を未だに受信している場合に行われる、請求項３７に記載の方法。
【請求項４０】
前記同期外状態を判定することに基づいて、前記ＳＣＣによるランダム・アクセスを実行することを促すために、前記ＵＥへ物理ダウンリンク制御チャネル命令を送信すること、をさらに備える請求項３７に記載の方法。
【請求項４１】
二次成分キャリア（ＳＣＣ）のためのランダム・アクセス・リソースをＵＥへ提供する装置であって、
所与の期間内、または、連続した時間インスタンスのしきい回数中、通信が、ＵＥに許可されたアップリンク・リソースによって受信されているか否かに部分的に基づいて、前記ＳＣＣに関する、ＵＥの同期外状態を判定する手段と、
前記同期外状態を判定することに基づいて、前記ＵＥのアップリンク・スケジューリングを中止する手段と、
前記同期外状態を判定することに基づいて、前記ＵＥからのランダム・アクセスを許可する手段と、を備える装置。
【請求項４２】
前記判定する手段はさらに、前記ＵＥからのサウンディング基準信号が受信されたか否かに部分的に基づいて、前記同期外状態を判定する、請求項４１に記載の装置。
【請求項４３】
前記ランダム・アクセスは、前記ＵＥが、二次セルにおいて同期されていないが、前記二次セルのアップリンク許可を未だに受信している場合に行われる、請求項４１に記載の装置。
【請求項４４】
前記同期外状態を判定することに基づいて、前記ＳＣＣによるランダム・アクセスを実行することを促すために、前記ＵＥへ物理ダウンリンク制御チャネル命令を送信する手段、をさらに備える請求項４１に記載の装置。
【請求項４５】
非一時的なコンピュータ読取可能な媒体であって、
少なくとも１つのコンピュータに対して、所与の期間内、または、連続した時間インスタンスのしきい回数中、通信が、ＵＥに許可されたアップリンク・リソースによって受信されているか否かに部分的に基づいて、二次成分キャリア（ＳＣＣ）に関する、ＵＥの同期外状態を判定させるためのコードと、
前記少なくとも１つのコンピュータに対して、前記同期外状態を判定することに基づいて、前記ＵＥのアップリンク・スケジューリングを中止させるためのコードと、
前記少なくとも１つのコンピュータに対して、前記同期外状態を判定することに基づいて、前記ＵＥからのランダム・アクセスを許可させるためのコードと、を備える非一時的なコンピュータ読取可能な媒体。
【請求項４６】
前記少なくとも１つのコンピュータに判定させるためのコードは、前記ＵＥからのサウンディング基準信号が受信されたか否かに部分的に基づいて、前記同期外状態を判定する、請求項４５に記載の非一時的なコンピュータ読取可能な媒体。
【請求項４７】
前記ランダム・アクセスは、前記ＵＥが、二次セルにおいて同期されていないが、前記二次セルのアップリンク許可を未だに受信している場合に行われる、請求項４５に記載の非一時的なコンピュータ読取可能な媒体。
【請求項４８】
前記少なくとも１つのコンピュータに対して、前記同期外状態を判定することに基づいて、前記ＳＣＣによるランダム・アクセスを実行することを促すために、前記ＵＥへ物理ダウンリンク制御チャネル命令を送信させるためのコードをさらに備える、請求項４５に記載の非一時的なコンピュータ読取可能な媒体。
【請求項４９】
二次成分キャリア（ＳＣＣ）のためのランダム・アクセス・リソースをＵＥへ提供するユーザ機器（ＵＥ）であって、
少なくとも１つのプロセッサと、
少なくとも１つのプロセッサに接続されたメモリとを備え、
前記少なくとも１つのプロセッサは、
所与の期間内、または、連続した時間インスタンスのしきい回数中、通信が、前記ＵＥに許可されたアップリンク・リソースによって受信されているか否かに部分的に基づいて、前記ＳＣＣに関する、前記ＵＥの同期外状態を判定し、
前記同期外状態を判定することに基づいて、前記ＵＥのアップリンク・スケジューリングを中止し、
前記同期外状態を判定することに基づいて、前記ＵＥからのランダム・アクセスを許可するように構成された、ユーザ機器。
【請求項５０】
前記少なくとも１つのプロセッサは、前記ＵＥからのサウンディング基準信号が受信されたか否かに部分的に基づいて、前記同期外状態を判定する、請求項４９に記載のユーザ機器。
【請求項５１】
前記ランダム・アクセスは、前記ＵＥが、二次セルにおいて同期されていないが、前記二次セルのアップリンク許可を未だに受信している場合に行われる、請求項４９に記載のユーザ機器。
【請求項５２】
前記少なくとも１つのプロセッサはさらに、前記同期外状態を判定することに基づいて、前記ＳＣＣによるランダム・アクセスを実行することを促すために、前記ＵＥへ物理ダウンリンク制御チャネル命令を送信するように構成された、請求項４９に記載のユーザ機器。
【手続補正２】
【補正対象書類名】明細書
【補正対象項目名】００８１
【補正方法】変更
【補正の内容】
【００８１】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、出願当初の特許請求の範囲に記載された発明を付記する。
［Ｃ１］
キャリア・アグリゲートされた無線ネットワークにおいて、二次成分キャリア（ＳＣＣ）に関するタイミングを同期させるための方法であって、
ｅノードＢと通信するために利用されるＳＣＣに関する同期外状態を判定することと、
前記同期外状態を示すインジケーションを、前記ｅノードＢへシグナリングすることと、
前記ＳＣＣによる通信のためのタイミングを同期させるために、前記ｅノードＢとのランダム・アクセス手続を実行することと、
を備える方法。
［Ｃ２］
前記シグナリングすることは、前記ｅノードＢまたはその他のｅノードＢと通信するために利用される一次成分キャリアによって、前記インジケーションを送信することを備える、Ｃ１に記載の方法。
［Ｃ３］
前記同期外状態が判定された後、前記ｅノードＢからのアップリンク許可を検出することをさらに備え、
前記シグナリングは、タイミングが同期されていない場合に、アップリンク許可が受信されたか否かに基づいて生じる、Ｃ２に記載の方法。
［Ｃ４］
前記ＳＣＣによって前記ｅノードＢから物理ダウンリンク制御チャネル（ＰＤＣＣＨ）を受信することをさらに備え、
前記ランダム・アクセス手続は、ＰＤＣＣＨ命令に基づいてトリガされる、Ｃ１に記載の方法。
［Ｃ５］
前記シグナリングすることは、前記インジケーションを、前記ｅノードＢへ、媒体アクセス制御（ＭＡＣ）メッセージまたはラジオ・リソース制御（ＲＲＣ）メッセージとしてシグナリングすることを備える、Ｃ１に記載の方法。
［Ｃ６］
前記ｅノードＢとのランダム・アクセス手続を実行することは、コンテンション・ベースのランダム・アクセス手続を実行することを備える、Ｃ１に記載の方法。
［Ｃ７］
前記同期外状態が判定された後、前記ｅノードＢからのアップリンク許可を検出することをさらに備え、
前記コンテンション・ベースのランダム・アクセス手続を実行することは、タイミングが同期されていない場合に、アップリンク許可が受信されているか否かに基づく、Ｃ６に記載の方法。
［Ｃ８］
キャリア・アグリゲートされた無線ネットワークにおいて、二次成分キャリア（ＳＣＣ）に関するタイミングを同期させるための装置であって、
ｅノードＢと通信するために利用されるＳＣＣに関する同期外状態を判定する手段と、
前記同期外状態を示すインジケーションを、前記ｅノードＢへシグナリングする手段と、
前記ＳＣＣによる通信のためのタイミングを同期させるために、前記ｅノードＢとのランダム・アクセス手続を実行する手段と、
を備える装置。
［Ｃ９］
前記シグナリングする手段は、前記ｅノードＢまたはその他のｅノードＢと通信するために利用される一次成分キャリアによって、前記インジケーションを送信する、Ｃ８に記載の装置。
［Ｃ１０］
前記同期外状態が判定された後、前記ｅノードＢからのアップリンク許可を検出する手段をさらに備え、
前記シグナリングする手段は、タイミングが同期されていない場合に、アップリンク許可が受信されているか否かに基づいてシグナリングする、Ｃ９に記載の装置。
［Ｃ１１］
前記ＳＣＣによって前記ｅノードＢから、物理ダウンリンク制御チャネル（ＰＤＣＣＨ）命令を受信する手段をさらに備え、
前記ランダム・アクセス手続は、ＰＤＣＣＨ命令に基づいてトリガされる、Ｃ８に記載の装置。
［Ｃ１２］
前記シグナリングする手段は、前記インジケーションを、前記ｅノードＢへ、媒体アクセス制御（ＭＡＣ）メッセージまたはラジオ・リソース制御（ＲＲＣ）メッセージとしてシグナリングする、Ｃ８に記載の装置。
［Ｃ１３］
前記ｅノードＢとのランダム・アクセス手続を実行する手段は、コンテンション・ベースのランダム・アクセス手続を実行する手段を備える、Ｃ８に記載の装置。
［Ｃ１４］
前記同期外状態が判定された後、前記ｅノードＢからのアップリンク許可を検出する手段をさらに備え、
前記コンテンション・ベースのランダム・アクセス手続を実行する手段は、タイミングが同期されていない場合に、アップリンク許可が受信されているか否かに基づく、Ｃ１３に記載の装置。
［Ｃ１５］
コンピュータ読取可能媒体を備えるコンピュータ・プログラム製品であって、
少なくとも１つのコンピュータに対して、ｅノードＢと通信するために利用される二次成分キャリア（ＳＣＣ）に関する同期外状態を判定させるためのコードと、
前記少なくとも１つのコンピュータに対して、前記同期外状態を示すインジケーションを、前記ｅノードＢへシグナリングさせるためのコードと、
前記少なくとも１つのコンピュータに対して、前記ＳＣＣによる通信のためのタイミングを同期させるために、前記ｅノードＢとのランダム・アクセス手続を実行させるためのコードと、を備える非一時的なコンピュータ読取可能な媒体を備える、コンピュータ・プログラム製品。
［Ｃ１６］
前記少なくとも１つのコンピュータに対してシグナリングさせるためのコードは、前記ｅノードＢまたはその他のｅノードＢと通信するために利用される一次成分キャリアによって、前記インジケーションを送信する、Ｃ１５に記載のコンピュータ・プログラム製品。
［Ｃ１７］
前記コンピュータ読取可能な媒体はさらに、前記少なくとも１つのコンピュータに対して、前記同期外状態が判定された後、前記ｅノードＢからのアップリンク許可を検出させるためのコードをさらに備え、
前記少なくとも１つのコンピュータに対してシグナリングさせるためのコードは、タイミングが同期されていない場合に、アップリンク許可が受信されているか否かに基づいてシグナリングする、Ｃ１６に記載のコンピュータ・プログラム製品。
［Ｃ１８］
前記コンピュータ読取可能な媒体はさらに、前記少なくとも１つのコンピュータに対して、前記ＳＣＣによって前記ｅノードＢから、物理ダウンリンク制御チャネル（ＰＤＣＣＨ）命令を受信させるためのコードを備え、
前記ランダム・アクセス手続は、ＰＤＣＣＨ命令に基づいてトリガされる、Ｃ１５に記載のコンピュータ・プログラム製品。
［Ｃ１９］
前記少なくとも１つのコンピュータに対してシグナリングさせるためのコードは、前記インジケーションを、前記ｅノードＢへ、媒体アクセス制御（ＭＡＣ）メッセージまたはラジオ・リソース制御（ＲＲＣ）メッセージとしてシグナリングする、Ｃ１５に記載のコンピュータ・プログラム製品。
［Ｃ２０］
前記少なくとも１つのコンピュータに対して前記ｅノードＢとのランダム・アクセス手続を実行させるためのコードは、前記少なくとも１つのコンピュータに対して、コンテンション・ベースのランダム・アクセス手続を実行させるためのコードを備える、Ｃ１５に記載のコンピュータ・プログラム製品。
［Ｃ２１］
前記コンピュータ読取可能な媒体はさらに、前記少なくとも１つのコンピュータに対して、前記同期外状態が判定された後、前記ｅノードＢからのアップリンク許可を検出させるためのコードを備え、
前記少なくとも１つのコンピュータに対して実行させるためのコードは、タイミングが同期されていない場合に、アップリンク許可が受信されているか否かに基づく、Ｃ２０に記載のコンピュータ・プログラム製品。
［Ｃ２２］
キャリア・アグリゲートされた無線ネットワークにおいて、二次成分キャリア（ＳＣＣ）に関するタイミングを同期させるためのユーザ機器（ＵＥ）であって、
少なくとも１つのプロセッサと、
前記少なくとも１つのプロセッサに接続されたメモリとを備え、
前記少なくとも１つのプロセッサは、
ｅノードＢと通信するために利用されるＳＣＣに関する同期外状態を判定し、
前記同期外状態を示すインジケーションを、前記ｅノードＢへシグナリングし、
前記ＳＣＣによる通信のためのタイミングを同期させるために、前記ｅノードＢとのランダム・アクセス手続を実行するように構成された、ユーザ機器。
［Ｃ２３］
前記少なくとも１つのプロセッサは、前記ｅノードＢまたはその他のｅノードＢと通信するために利用される一次成分キャリアによって、前記インジケーションを送信することによって、前記インジケーションをシグナリングする、Ｃ２２に記載のユーザ機器。
［Ｃ２４］
前記少なくとも１つのプロセッサはさらに、前記同期外状態が判定された後、前記ｅノードＢからのアップリンク許可を検出するように構成され、
前記少なくとも１つのプロセッサは、タイミングが同期されていない場合に、アップリンク許可が受信されているか否かに基づいてシグナリングする、Ｃ２３に記載のユーザ機器。
［Ｃ２５］
前記少なくとも１つのプロセッサはさらに、前記ＳＣＣによって前記ｅノードＢから、物理ダウンリンク制御チャネル（ＰＤＣＣＨ）命令を受信するように構成され、
前記ランダム・アクセス手続は、ＰＤＣＣＨ命令に基づいてトリガされる、Ｃ２２に記載のユーザ機器。
［Ｃ２６］
前記少なくとも１つのプロセッサは、前記インジケーションを、前記ｅノードＢへ、媒体アクセス制御（ＭＡＣ）メッセージまたはラジオ・リソース制御（ＲＲＣ）メッセージとしてシグナリングする、Ｃ２２に記載のユーザ機器。
［Ｃ２７］
前記少なくとも１つのプロセッサは、前記ｅノードＢとのコンテンション・ベースのランダム・アクセス手続を実行するように構成された、Ｃ２２に記載のユーザ機器。
［Ｃ２８］
前記少なくとも１つのプロセッサはさらに、前記同期外状態が判定された後、前記ｅノードＢからのアップリンク許可を検出するように構成され、
前記少なくとも１つのプロセッサは、タイミングが同期されていない場合に、アップリンク許可が受信されているか否かに基づいて、前記コンテンション・ベースのランダム・アクセス手続を実行する、Ｃ２７に記載のユーザ機器。
［Ｃ２９］
二次成分キャリア（ＳＣＣ）によるランダム・アクセスを容易にする方法であって、
ＵＥから、ＳＣＣに関する同期外状態を示すインジケーションを受信することと、
前記インジケーションに基づいて、前記ＳＣＣによるランダム・アクセスを実行することを促すために、前記ＵＥへ、物理ダウンリンク制御チャネル命令を送信することと、
を備える方法。
［Ｃ３０］
前記受信することは、前記インジケーションを、前記ＵＥとの一次成分キャリアで受信することを備える、Ｃ２９に記載の方法。
［Ｃ３１］
前記受信することは、前記インジケーションを、媒体アクセス制御（ＭＡＣ）メッセージまたはラジオ・リソース制御（ＲＲＣ）メッセージで前記ＵＥから受信することを備える、Ｃ２９に記載の方法。
［Ｃ３２］
前記受信することは、前記ＵＥとの一次成分キャリアを有する、別のｅノードＢとのバックホール・リンクによって、前記インジケーションを受信することを備える、Ｃ２９に記載の方法。
［Ｃ３３］
二次成分キャリア（ＳＣＣ）によるランダム・アクセスを容易にする装置であって、
ＵＥから、ＳＣＣに関する同期外状態を示すインジケーションを受信する手段と、
前記インジケーションに基づいて、前記ＳＣＣによるランダム・アクセスを実行することを促すために、前記ＵＥへ、物理ダウンリンク制御チャネル命令を送信する手段と、
を備える装置。
［Ｃ３４］
前記受信する手段は、前記インジケーションを、前記ＵＥとの一次成分キャリアで受信する、Ｃ３３に記載の装置。
［Ｃ３５］
前記受信する手段は、前記インジケーションを、媒体アクセス制御（ＭＡＣ）メッセージまたはラジオ・リソース制御（ＲＲＣ）メッセージで前記ＵＥから受信する、Ｃ３３に記載の装置。
［Ｃ３６］
前記受信する手段は、前記ＵＥとの一次成分キャリアを有する、別のｅノードＢとのバックホール・リンクによって、前記インジケーションを受信する、Ｃ３３に記載の装置。
［Ｃ３７］
コンピュータ読取可能媒体を備えるコンピュータ・プログラム製品であって、
少なくとも１つのコンピュータに対して、ＵＥから、二次成分キャリア（ＳＣＣ）に関する同期外状態を示すインジケーションを受信させるためのコードと、
前記少なくとも１つのコンピュータに対して、前記インジケーションに基づいて、前記ＳＣＣによるランダム・アクセスを実行することを促すために、前記ＵＥへ、物理ダウンリンク制御チャネル命令を送信させるためのコードと、を備える非一時的なコンピュータ読取可能な媒体を備える、コンピュータ・プログラム製品。
［Ｃ３８］
前記少なくとも１つのコンピュータに対して受信させるためのコードは、前記ＵＥとの一次成分キャリアによって前記インジケーションを受信する、Ｃ３７に記載のコンピュータ・プログラム製品。
［Ｃ３９］
前記少なくとも１つのコンピュータに対して受信させるためのコードは、前記インジケーションを、媒体アクセス制御（ＭＡＣ）メッセージまたはラジオ・リソース制御（ＲＲＣ）メッセージで前記ＵＥから受信する、Ｃ３７に記載のコンピュータ・プログラム製品。
［Ｃ４０］
前記少なくとも１つのコンピュータに対して受信させるためのコードは、前記ＵＥとの一次成分キャリアを有する、別のｅノードＢとのバックホール・リンクによって、前記インジケーションを受信する、Ｃ３７に記載のコンピュータ・プログラム製品。
［Ｃ４１］
二次成分キャリア（ＳＣＣ）によるランダム・アクセスを容易にする装置であって、
少なくとも１つのプロセッサと、
少なくとも１つのプロセッサに接続されたメモリとを備え、
前記少なくとも１つのプロセッサは、
ＵＥから、ＳＣＣに関する同期外状態を示すインジケーションを受信し、
前記インジケーションに基づいて、前記ＳＣＣによるランダム・アクセスを実行することを促すために、前記ＵＥへ、物理ダウンリンク制御チャネル命令を送信するように構成された、装置。
［Ｃ４２］
前記少なくとも１つのプロセッサは、前記ＵＥとの一次成分キャリアによって前記インジケーションを受信する、Ｃ４１に記載の装置。
［Ｃ４３］
前記少なくとも１つのプロセッサは、前記インジケーションを、媒体アクセス制御（ＭＡＣ）メッセージまたはラジオ・リソース制御（ＲＲＣ）メッセージで前記ＵＥから受信する、Ｃ４１に記載の装置。
［Ｃ４４］
前記少なくとも１つのプロセッサは、前記ＵＥとの一次成分キャリアを有する、別のｅノードＢとのバックホール・リンクによって、前記インジケーションを受信する、Ｃ４１に記載の装置。
［Ｃ４５］
二次成分キャリア（ＳＣＣ）のためのランダム・アクセス・リソースをＵＥへ提供する方法であって、
所与の期間内、または、連続した時間インスタンスのしきい回数中、通信が、ＵＥに許可されたアップリンク・リソースによって受信されているか否かに部分的に基づいて、ＳＣＣに関する、ＵＥの同期外状態を判定することと、
前記同期外状態を判定することに基づいて、前記ＵＥからのランダム・アクセスを許可することと、を備える方法。
［Ｃ４６］
前記同期外状態を判定することはさらに、前記ＵＥからサウンディング基準信号が受信されたか否かに部分的に基づく、Ｃ４５に記載の方法。
［Ｃ４７］
前記同期外状態を判定することに基づいて、前記ＵＥのアップリンク・スケジューリングを中止すること、をさらに備える、Ｃ４５に記載の方法。
［Ｃ４８］
前記ランダム・アクセスは、前記ＵＥが、二次セルにおいて同期されていないが、前記二次セルのアップリンク許可を未だに受信している場合に行われる、Ｃ４５に記載の方法。
［Ｃ４９］
前記同期外状態を判定することに基づいて、前記ＳＣＣによるランダム・アクセスを実行することを促すために、前記ＵＥへ物理ダウンリンク制御チャネル命令を送信すること、をさらに備えるＣ４５に記載の方法。
［Ｃ５０］
二次成分キャリア（ＳＣＣ）のためのランダム・アクセス・リソースをＵＥへ提供する装置であって、
所与の期間内、または、連続した時間インスタンスのしきい回数中、通信が、ＵＥに許可されたアップリンク・リソースによって受信されているか否かに部分的に基づいて、ＳＣＣに関する、ＵＥの同期外状態を判定する手段と、
前記同期外状態を判定することに基づいて、前記ＵＥからのランダム・アクセスを許可する手段と、を備える装置。
［Ｃ５１］
前記判定する手段はさらに、前記ＵＥからのサウンディング基準信号が受信されたか否かに部分的に基づいて、前記帯域外状態を判定する、Ｃ５０に記載の装置。
［Ｃ５２］
前記同期外状態を判定することに基づいて、前記ＵＥのアップリンク・スケジューリングを中止する手段、をさらに備えるＣ５０に記載の装置。
［Ｃ５３］
前記ランダム・アクセスは、前記ＵＥが、二次セルにおいて同期されていないが、前記二次セルのアップリンク許可を未だに受信している場合に行われる、Ｃ５０に記載の装置。
［Ｃ５４］
前記同期外状態を判定することに基づいて、前記ＳＣＣによるランダム・アクセスを実行することを促すために、前記ＵＥへ物理ダウンリンク制御チャネル命令を送信する手段、をさらに備えるＣ５０に記載の装置。
［Ｃ５５］
コンピュータ読取可能媒体を備えるコンピュータ・プログラム製品であって、
少なくとも１つのコンピュータに対して、所与の期間内、または、連続した時間インスタンスのしきい回数中、通信が、ＵＥに許可されたアップリンク・リソースによって受信されているか否かに部分的に基づいて、ＳＣＣに関する、ＵＥの同期外状態を判定させるためのコードと、
前記少なくとも１つのコンピュータに対して、前記同期外状態を判定することに基づいて、前記ＵＥからのランダム・アクセスを許可させるためのコードと、を備える非一時的なコンピュータ読取可能な媒体を備える、コンピュータ・プログラム製品。
［Ｃ５６］
前記少なくとも１つのコンピュータに判定させるためのコードは、前記ＵＥからのサウンディング基準信号が受信されたか否かに部分的に基づいて、前記帯域外状態を判定する、Ｃ５５に記載のコンピュータ・プログラム製品。
［Ｃ５７］
前記コンピュータ読取可能な媒体はさらに、前記少なくとも１つのコンピュータに対して、前記同期外状態を判定することに基づいて、前記ＵＥのアップリンク・スケジューリングを中止させるためのコードを備える、Ｃ５５に記載のコンピュータ・プログラム製品。
［Ｃ５８］
前記ランダム・アクセスは、前記ＵＥが、二次セルにおいて同期されていないが、前記二次セルのアップリンク許可を未だに受信している場合に行われる、Ｃ５５に記載のコンピュータ・プログラム製品。
［Ｃ５９］
前記コンピュータ読取可能な媒体はさらに、前記少なくとも１つのコンピュータに対して、前記同期外状態を判定することに基づいて、前記ＳＣＣによるランダム・アクセスを実行することを促すために、前記ＵＥへ物理ダウンリンク制御チャネル命令を送信させるためのコードを備える、Ｃ５５に記載のコンピュータ・プログラム製品。
［Ｃ６０］
二次成分キャリア（ＳＣＣ）のためのランダム・アクセス・リソースをＵＥへ提供するユーザ機器（ＵＥ）であって、
少なくとも１つのプロセッサと、
少なくとも１つのプロセッサに接続されたメモリとを備え、
前記少なくとも１つのプロセッサは、
所与の期間内、または、連続した時間インスタンスのしきい回数中、通信が、ＵＥに許可されたアップリンク・リソースによって受信されているか否かに部分的に基づいて、ＳＣＣに関する、ＵＥの同期外状態を判定し、
前記同期外状態を判定することに基づいて、前記ＵＥからのランダム・アクセスを許可するように構成された、ユーザ機器。
［Ｃ６１］
前記少なくとも１つのプロセッサは、前記ＵＥからのサウンディング基準信号が受信されたか否かに部分的に基づいて、前記帯域外状態を判定する、Ｃ６０に記載のユーザ機器。
［Ｃ６２］
前記少なくとも１つのプロセッサはさらに、前記同期外状態を判定することに基づいて、前記ＵＥのアップリンク・スケジューリングを中止するように構成された、Ｃ６０に記載のユーザ機器。
［Ｃ６３］
前記ランダム・アクセスは、前記ＵＥが、二次セルにおいて同期されていないが、前記二次セルのアップリンク許可を未だに受信している場合に行われる、Ｃ６０に記載のユーザ機器。
［Ｃ６４］
前記少なくとも１つのプロセッサはさらに、前記同期外状態を判定することに基づいて、前記ＳＣＣによるランダム・アクセスを実行することを促すために、前記ＵＥへ物理ダウンリンク制御チャネル命令を送信するように構成された、Ｃ６０に記載のユーザ機器。